(57)【要約】【課題】保守点検部分における保守点検が実施されたか否かについての情報をより正確に保守点検管理装置に入力することができる保守点検管理システムを得る。【解決手段】エレベータ装置１の保守点検を管理する保守点検管理システムであって、機械室２０に設けられ、機械室２０における保守点検が実施されるために変位される機械室扉本体２１１と、機械室扉本体２１１の変位を検出する機械室扉検出スイッチ２１２と、機械室扉検出スイッチ２１２の検出信号に基づいて、機械室２０内の清掃等の機械室２０における保守点検が実施されたか否かを判定する通信装置２５と、通信装置２５の判定結果の情報が入力される保守点検管理装置３２とを備えている。【選択図】図１
2012176820.tif 000002
【特許請求の範囲】
【請求項１】
保守点検対象装置の保守点検を管理する保守点検管理システムであって、
保守点検部分に設けられ、前記保守点検部分における保守点検が実施されるために変位される変位部材と、
前記変位部材の変位を検出する検出装置と、
前記検出装置の検出信号に基づいて、前記保守点検部分における保守点検が実施されたか否かを判定する判定装置と、
前記判定装置の判定結果の情報が入力される保守点検管理装置とを備えたことを特徴とする保守点検管理システム。
【請求項２】
表示部を有した携帯端末装置をさらに備え、
前記保守点検管理装置は、前記保守点検対象装置を特定する情報が入力されることにより、特定された前記保守点検対象装置において実施される予定の前記保守点検部分における保守点検を特定する情報を前記携帯端末装置に対して出力し、
前記表示部は、実施される予定の前記保守点検部分における保守点検を特定する情報を表示することを特徴とする請求項１に記載の保守点検管理システム。
【請求項３】
前記表示部は、実施される予定の前記保守点検部分における保守点検を特定する情報および実施されたと前記判定装置により判定された前記保守点検部分における保守点検を特定する情報を互いに区別して表示することを特徴とする請求項２に記載の保守点検管理システム。
【請求項４】
前記保守点検対象装置に設けられた表示装置をさらに備え、
前記保守点検管理装置は、前記保守点検対象装置を特定する情報が入力されることにより、特定された前記保守点検対象装置において実施される予定の前記保守点検部分における保守点検を特定する情報を前記表示装置に対して出力し、
前記表示装置は、実施される予定の前記保守点検部分における保守点検を特定する情報を表示することを特徴とする請求項１ないし請求項３の何れか１項に記載の保守点検管理システム。
【請求項５】
前記表示装置は、実施される予定の前記保守点検部分における保守点検を特定する情報および実施されたと前記判定装置により判定された前記保守点検部分における保守点検を特定する情報を互いに区別して表示することを特徴とする請求項４に記載の保守点検管理システム。
【請求項６】
保守点検部分に設けられ前記保守点検部分における保守点検が実施されるために変位される変位部材と、前記変位部材の変位を検出する検出装置と、前記検出装置の検出信号に基づいて、前記保守点検部分における保守点検が実施されたか否かを判定する判定装置と、前記判定装置による判定結果の情報が入力される保守点検管理装置とを備えた保守点検管理システムを用いた保守点検管理方法あって、
前記変位部材の変位が検出される検出工程と、
前記検出工程の後に、前記検出装置の検出信号に基づいて、前記保守点検部分における保守点検が実施されたか否かが判定される判定工程と、
前記判定工程の後に、前記判定装置による判定結果の情報が前記保守点検管理装置に入力される入力工程とを備えたことを特徴とする保守点検管理方法。
【発明の詳細な説明】
【技術分野】
【０００１】
この発明は、保守点検対象装置の保守点検を管理する保守点検管理システムおよびこの保守点検管理システムを用いた保守点検管理方法に関する。
【背景技術】
【０００２】
従来、エレベータ装置と、作業者が入力装置を操作することにより、エレベータ装置の各保守点検部分における保守点検が実施されたか否かについての情報が入力される保守点検管理装置とを備えた保守点検管理システムが知られている（例えば、特許文献１参照）。
【先行技術文献】
【特許文献】
【０００３】
【特許文献１】特開２００６−２６４８３９号公報
【発明の概要】
【発明が解決しようとする課題】
【０００４】
しかしながら、保守点検部分における保守点検がまだ実施されていないにも関わらず、保守点検部分における保守点検が実施されたとする情報を作業者が誤って保守点検管理装置に入力した場合、実施されていない保守点検部分における保守点検が実施されないままとなってしまうという問題点があった。
【０００５】
この発明は、保守点検部分における保守点検が実施されたか否かについての情報をより正確に保守点検管理装置に入力することができる保守点検管理システムおよびこの保守点検管理システムを用いた保守点検管理方法を提供するものである。
【課題を解決するための手段】
【０００６】
この発明に係る保守点検管理システムは、保守点検対象装置の保守点検を管理する保守点検管理システムであって、保守点検部分に設けられ、前記保守点検部分における保守点検が実施されるために変位される変位部材と、前記変位部材の変位を検出する検出装置と、前記検出装置の検出信号に基づいて、前記保守点検部分における保守点検が実施されたか否かを判定する判定装置と、前記判定装置の判定結果の情報が入力される保守点検管理装置とを備えている。
【０００７】
この発明に係る保守点検管理方法は、保守点検部分に設けられ前記保守点検部分における保守点検が実施されるために変位される変位部材と、前記変位部材の変位を検出する検出装置と、前記検出装置の検出信号に基づいて、前記保守点検部分における保守点検が実施されたか否かを判定する判定装置と、前記判定装置による判定結果の情報が入力される保守点検管理装置とを備えた保守点検管理システムを用いた保守点検管理方法あって、前記変位部材の変位が検出される検出工程と、前記検出工程の後に、前記検出装置の検出信号に基づいて、前記保守点検部分における保守点検が実施されたか否かが判定される判定工程と、前記判定工程の後に、前記判定装置による判定結果の情報が前記保守点検管理装置に入力される入力工程とを備えている。
【発明の効果】
【０００８】
この発明に係る保守点検管理システムによれば、保守点検対象装置の保守点検を管理する保守点検管理システムであって、保守点検部分に設けられ、保守点検部分における保守点検が実施されるために変位される変位部材と、変位部材の変位を検出する検出装置と、検出装置の検出信号に基づいて、保守点検部分における保守点検が実施されたか否かを判定する判定装置と、判定装置の判定結果の情報が入力される保守点検管理装置とを備えているので、保守点検部分における保守点検がまだ実施されていないにも関わらず、保守点検部分における保守点検が実施されたとする情報が保守点検管理装置に入力されることを防止することができる。その結果、保守点検部分における保守点検が実施されたか否かについての情報をより正確に保守点検管理装置に入力することができる。
【０００９】
この発明に係る保守点検管理方法によれば、変位部材の変位が検出される検出工程と、検出工程の後に、検出装置の検出信号に基づいて、保守点検部分における保守点検が実施されたか否かが判定される判定工程と、判定工程の後に、判定装置による判定結果の情報が保守点検管理装置に入力される入力工程とを備えているので、保守点検部分における保守点検がまだ実施されていないにも関わらず、保守点検部分における保守点検が実施されたとする情報が保守点検管理装置に入力されることを防止することができる。その結果、保守点検部分における保守点検が実施されたか否かについての情報をより正確に保守点検管理装置に入力することができる。
【図面の簡単な説明】
【００１０】
【図１】この発明の実施の形態１に係る保守点検管理システムを示すブロック図である。
【図２】図１のピット梯子装置を操作する手順を示す側面図である。
【図３】図１の乗場ドアおよび乗場ドアハンガー装置を示す正面図である。
【図４】図３の乗場ドアハンガー装置の分解および組立の手順を示す側面図である。
【図５】図１の機械室扉装置を操作する手順を示す正面図である。
【図６】図１の巻上機における巻上機ブレーキの電磁開放装置の分解および組立の手順を示す側面図である。
【図７】図１の制御盤の分解および組立の手順を示す側面図である。
【図８】実施される予定の保守点検部分における保守点検を特定する情報を表示する表示部の画面を示す図である。
【図９】実施される予定の保守点検部分における保守点検を特定する情報を表示するかご内モニタの画面を示す図である。
【図１０】実施される予定の保守点検部分における保守点検を特定する情報と、実施された保守点検部分における保守点検を特定する情報とを互いに区別して表示する表示部の画面を示す図である。
【図１１】実施された保守点検部分における保守点検を特定する情報を前回表示した情報から削除して、実施される予定の保守点検部分における保守点検を特定する情報を表示するかご内モニタの画面を示す図である。
【発明を実施するための形態】
【００１１】
実施の形態１．
図１はこの発明の実施の形態１に係る保守点検管理システムを示すブロック図である。図において、保守点検管理システムは、作業者が保守点検の作業を実施する現場となるエレベータ装置（保守点検対象装置）１と、エレベータ装置１の保守点検についての情報を管理する情報センタ３とを備えている。
【００１２】
エレベータ装置１は、昇降路１０内を昇降するかご１１と、かご１１に設けられた表示装置１２と、かご１１内の乗客により操作されるかご操作盤装置１３と、かご１１の天井部分に載せられたかご上装置１４と、かご１１に連動して昇降路１０内を昇降する釣合い錘１５と、かご１１と釣り合い錘１５とを連結するロープ１６と、ピット（保守点検部分）内に設けられたピット梯子装置１７と、各階の乗場に設けられた乗場ドア１８と、乗場ドア１８を支持する乗場ドアハンガー装置１９とを有している。
【００１３】
また、エレベータ装置１は、機械室（保守点検部分）２０の機械室出入口を開閉する機械室扉装置２１と、ロープ１６が巻き掛けられた巻上機２２と、巻上機２２の駆動を制御する制御盤２３と、制御盤２３に設けられた電磁接触器装置２４と、情報センタ３との間で通信を行う通信装置（判定装置）２５と、通信装置２５に接続されたスイッチ情報集積装置２６とを有している。
【００１４】
表示装置１２は、かご１１内に設けられたかご内モニタ１２１と、かご内モニタ１２１の表示を制御するモニタ表示制御装置１２２とを有している。かご内モニタ１２１は、かご１１内の乗客や作業者に視認される。モニタ表示制御装置１２２は、通信装置２５に接続されている。
【００１５】
かご操作盤装置１３は、かご操作盤内部部材（保守点検部分）における保守点検が実施されるために作業者により変位されるかご操作盤カバー（変位部材）１３１と、かご操作盤カバー１３１の変位を検出するかご操作盤カバー検出スイッチ（検出装置）１３２とを有している。かご操作盤カバー１３１は、かご操作盤内部部材を覆う取付位置と、かご操作盤内部部材が露出する取外位置との間で変位する。かご操作盤カバー検出スイッチ１３２の状態は、かご操作盤カバー１３１の位置が取付位置である場合にＯＮ状態となり、かご操作盤カバー１３１の位置が取外位置である場合にＯＦＦ状態となる。かご操作盤カバー検出スイッチ１３２の検出信号は、スイッチ情報集積装置２６を介して、通信装置２５に送られる。通信装置２５は、かご操作盤カバー検出スイッチ１３２の状態が、ＯＮ状態からＯＦＦ状態に変化し、さらに、ＯＦＦ状態からＯＮ状態に変化することにより、かご操作盤内部部材における保守点検が実施されたと判定する。
【００１６】
かご上装置１４は、かご上装置内部部材（保守点検部分）における保守点検が実施されるために作業者により変位されるかご上装置ＢＯＸ（変位部材）１４１と、かご上装置ＢＯＸ１４１の変位を検出するかご上装置ＢＯＸ検出スイッチ（検出装置）１４２とを有している。かご上装置ＢＯＸ１４１は、かご上装置内部部材を覆う取付位置と、かご上装置内部部材が露出する取外位置との間で変位する。かご上装置ＢＯＸ検出スイッチ１４２の状態は、かご上装置ＢＯＸ１４１の位置が取付位置である場合にＯＮ状態となり、かご上装置ＢＯＸ１４１の位置が取外位置である場合にＯＦＦ状態となる。かご上装置ＢＯＸ検出スイッチ１４２の検出信号は、スイッチ情報集積装置２６を介して、通信装置２５に送られる。通信装置２５は、かご上装置ＢＯＸ検出スイッチ１４２の状態が、ＯＮ状態からＯＦＦ状態に変化し、さらに、ＯＦＦ状態からＯＮ状態に変化することにより、かご上装置内部部材における保守点検が実施されたと判定する。かご上装置内部部材における保守点検を実施する場合、作業者は、かご上搭乗時にかご１１が動き出さないように安全スイッチを停止モードに切り替える。
【００１７】
電磁接触器装置２４は、電磁接触器手入れ等の電磁接触器本体（保守点検部分）における保守点検が実施されために作業者により変位される電磁接触器カバー（変位部材）２４１と、電磁接触器カバー２４１の変位を検出する電磁接触器カバー検出スイッチ（検出装置）２４２とを有している。電磁接触器カバー２４１は、電磁接触器本体を覆う取付位置と、電磁接触器本体が露出される取外位置との間で変位する。電磁接触器カバー検出スイッチ２４２は、電磁接触器カバー２４１の位置が取付位置である場合にＯＮ状態となり、電磁接触器カバー２４１の位置が取外位置である場合にＯＦＦ状態となる。電磁接触器カバー検出スイッチ２４２の検出信号は、スイッチ情報集積装置２６を介して、通信装置２５に送られる。通信装置２５は、電磁接触器カバー検出スイッチ２４２の状態が、ＯＮ状態からＯＦＦ状態に変化し、さらに、ＯＦＦ状態からＯＮ状態に変化することにより、電磁接触器手入れ等の電磁接触器本体における保守点検が実施されたと判定する。
【００１８】
図２は図１のピット梯子装置１７を操作する手順を示す側面図である。ピット梯子装置１７は、ピット清掃等のピット（保守点検部分）における保守点検が実施されるために作業者により変位されるピット梯子本体（変位部材）１７１と、ピット梯子本体１７１の変位を検出するピット梯子検出スイッチ（検出装置）１７２と、ピット梯子本体１７１に取り付けられた梯子引上げチェーン１７３とを有している。ピット梯子本体１７１は、ピット梯子本体１７１が延びた位置である伸張位置と、ピット梯子本体１７１が折りたたまれた位置である収縮位置との間で変位する。作業者が梯子引上げチェーン１７３を引き上げることにより、ピット梯子本体１７１の位置は、収縮位置から伸張位置に変位する。ピット梯子本体１７１の位置が伸張位置である場合に、作業者は、最下階の乗場からピットへ出入りすることが可能となる。ピット梯子検出スイッチ１７２の状態は、ピット梯子本体１７１の位置が収縮位置である場合にＯＮ状態となり、ピット梯子本体１７１の位置が伸張位置である場合にＯＦＦ状態となる。ピット梯子検出スイッチ１７２の検出信号は、スイッチ情報集積装置２６（図１）を介して、通信装置２５（図１）に送られる。通信装置２５は、ピット梯子検出スイッチ１７２の状態が、ＯＮ状態からＯＦＦ状態に変化し、さらに、ＯＦＦ状態からＯＮ状態に変化することにより、ピットの清掃等のピットにおける保守点検が実施されたと判定する。
【００１９】
図３は図１の乗場ドア１８および乗場ドアハンガー装置１９を示す正面図、図４は図３の乗場ドアハンガー装置１９の分解および組立の手順を示す側面図である。乗場ドアハンガー装置１９は、乗場ドア１８の上端部に接続されたドアハンガー１９１と、ドアハンガー１９１を支持するドア吊りレール（保守点検部分）１９２と、乗場ドアハンガー内手入れ等のドア吊りレール１９２における保守点検が実施されるために作業者により変位されるハンガーカバー（変位部材）１９３と、ハンガーカバー１９３の変位を検出するハンガーカバー検出スイッチ１９４（検出装置）とを有している。ハンガーカバー１９３は、ドア吊りレール１９２を上方から覆う取付位置と、ドア吊りレール１９２が露出する取外位置との間で変位する。ハンガーカバー検出スイッチ１９４の状態は、ハンガーカバー１９３の位置が取付位置である場合にＯＮ状態となり、ハンガーカバー１９３の位置が取外位置である場合にＯＦＦ状態となる。ハンガーカバー検出スイッチ１９４の検出信号は、スイッチ情報集積装置２６（図１）を介して、通信装置２５（図１）に送られる。通信装置２５は、ハンガーカバー検出スイッチ１９４の状態が、ＯＮ状態からＯＦＦ状態に変化し、さらに、ＯＦＦ状態からＯＮ状態に変化することにより、乗場ドアハンガー内手入れ等のドア吊りレール１９２における保守点検が実施されたと判定する。
【００２０】
図５は図１の機械室扉装置２１を操作する手順を示す正面図である。機械室扉装置２１は、機械室２０（図１）内の清掃等の機械室２０における保守点検が実施されるために作業者により変位される機械室扉本体２１１（変位部材）と、機械室扉本体２１１の変位を検出する機械室扉検出スイッチ（検出装置）２１２とを有している。機械室扉本体２１１は、機械室出入口を塞ぐ閉位置と機械室出入口が開く開位置との間で変位する。機械室扉検出スイッチ２１２は、機械室２０の壁に取り付けられた第１のスイッチ部２１３と、機械室扉本体２１１に取り付けられた第２のスイッチ部２１４とを有している。第１のスイッチ部２１３および第２のスイッチ部２１４は、機械室扉本体２１１の位置が閉位置である場合に互いに近づき、機械室扉本体２１１の位置が開位置である場合に互いに離れるように配置されている。機械室扉検出スイッチ２１２は、機械室扉本体２１１の位置が閉位置である場合にＯＮ状態となり、機械室扉本体２１１の位置が開位置である場合にＯＦＦ状態となる。機械室扉検出スイッチ２１２の検出信号は、スイッチ情報集積装置２６（図１）を介して、通信装置２５（図１）に送られる。通信装置２５は、機械室扉検出スイッチ２１２の状態が、ＯＮ状態からＯＦＦ状態に変化し、さらに、ＯＦＦ状態からＯＮ状態に変化することにより、機械室２０の清掃等の機械室２０における保守点検が実施されたと判定する。
【００２１】
巻上機２２は、電磁開放装置を含んだ巻上機ブレーキを有している。図６は図１の巻上機２２における巻上機ブレーキの電磁開放装置の分解および組立の手順を示す側面図である。巻上機ブレーキの電磁開放装置は、ブレーキ接点組立部分（保守点検部分）を含む電磁開放装置本体２２１と、ブレーキプランジャ分解手入れ等のブレーキ接点組立部分における保守点検が実施されるために作業者により変位されるブレーキ接点組立カバー（変位部材）２２２と、ブレーキ接点組立カバー２２２の変位を検出するブレーキ接点組立カバー検出スイッチ（検出装置）２２３とを有している。ブレーキ接点組立カバー２２２は、ブレーキ接点組立部分を覆う取付位置と、ブレーキ接点組立部分が露出する取外位置との間で変位する。ブレーキ接点組立カバー検出スイッチ２２３は、ブレーキ接点組立カバー２２２の位置が取付位置である場合にＯＮ状態となり、ブレーキ接点組立カバー２２２の位置が取外位置である場合にＯＦＦ状態となる。ブレーキ接点組立カバー２２２の検出信号は、スイッチ情報集積装置２６（図１）を介して、通信装置２５（図１）に送られる。通信装置２５は、ブレーキ接点組立カバー検出スイッチ２２３の状態が、ＯＮ状態からＯＦＦ状態に変化し、さらに、ＯＦＦ状態からＯＮ状態に変化することにより、ブレーキプランジャ分解手入れ等のブレーキ接点組立部分における保守点検が実施されたと判定する。
【００２２】
図７は図１の制御盤２３の分解および組立の手順を示す側面図である。制御盤２３は、制御盤本体（保守点検部分）２３１と、制御盤内点検等の制御盤本体２３１における保守点検が実施されるために作業者により変位される制御盤カバー（変位部材）２３２と、制御盤カバー２３２の変位を検出する制御盤カバー検出スイッチ（検出装置）２３３とを有している。制御盤カバー２３２は、制御盤本体２３１を覆う取付位置と、制御盤本体２３１が露出する取外位置との間で変位する。制御盤カバー検出スイッチ２３３は、制御盤カバー２３２の位置が取付位置である場合にＯＮ状態となり、制御盤カバー２３２の位置が取外位置である場合にＯＦＦ状態となる。制御盤カバー検出スイッチ２３３の検出信号は、スイッチ情報集積装置２６（図１）を介して、通信装置２５（図１）に送られる。通信装置２５は、制御盤カバー検出スイッチ２３３の状態が、ＯＮ状態からＯＦＦ状態に変化し、さらに、ＯＦＦ状態からＯＮ状態に変化することにより、制御盤内点検等の制御盤本体２３１における保守点検が実施されたと判定する。
【００２３】
図１に示すように、情報センタ３には、通信装置２５と通信を行う通信装置３１と、通信装置３１に接続された保守点検管理装置３２と、保守点検管理装置３２に接続され、作業者が所持する携帯電話装置（携帯端末装置）４に対して通信をするデータ連絡装置３３とを有している。保守点検管理装置３２は、通信装置３１およびデータ連絡装置３３に入力された情報を処理するデータ処理装置３２１と、データ処理装置３２１により処理された情報を保存するデータ集積装置３２２とを有している。携帯電話装置４は、表示部４１を有している。
【００２４】
次に、保守点検管理システムを用いた保守点検の手順について説明する。まず、現場にいる作業者は、携帯電話装置４を用いて、情報センタ３に対して作業届けを行う。この作業届けには、作業者が保守点検を実施しようとするエレベータ装置１を特定する情報が含まれている。
【００２５】
その後、保守点検管理装置３２は、特定されたエレベータ装置１において実施される予定の保守点検部分における保守点検を特定する情報を携帯電話装置４にデータ連絡装置３３を介して出力する。実施される予定の保守点検部分における保守点検を特定する情報が入力された携帯電話装置４は、図８に示すように、表示部４１に、実施される予定の保守点検部分における保守点検を特定する情報を表示させる。この例では、ドア吊りレール清掃、ブレーキ接点手入れ、電磁接触器接点手入れ、ピット清掃および機械室清掃の項目と、それぞれが未実施であることを示す文字とが表示される。
【００２６】
また、保守点検管理装置３２は、特定されたエレベータ装置１において実施される予定の保守点検部分における保守点検を特定する情報を表示装置１２に通信装置２５および通信装置３１を介して出力する。実施される予定の保守点検部分における保守点検を特定する情報が入力された表示装置１２は、図９に示すように、かご内モニタ１２１に、実施される予定の保守点検部分における保守点検を特定する情報を表示させる。この例では、ドア吊りレール清掃、ブレーキ接点手入れ、電磁接触器接点手入れ、ピット清掃および機械室清掃の項目が表示される。
【００２７】
その後、例えば、作業者によりピット清掃が実施されると、ピット梯子本体１７１が変位し、ピット梯子検出スイッチ１７２がピット梯子本体１７１の変位を検出する（検出工程）。その後、ピット梯子検出スイッチ１７２の状態が、ＯＮ状態からＯＦＦ状態に変化し、さらに、ＯＦＦ状態からＯＮ状態に変化すると、通信装置２５は、ピットの清掃等のピットにおける保守点検が実施されたと判定する（判定工程）。その後、ピット清掃が実施されたことを示す情報が通信装置２５から保守点検管理装置３２に入力される（入力工程）。
【００２８】
その後、保守点検管理装置３２は、実施される予定の保守点検部分における保守点検を特定する情報と、実施された保守点検部分における保守点検を特定する情報とを携帯電話装置４にデータ連絡装置３３を介して出力する。実施される予定の保守点検部分における保守点検を特定する情報と、実施された保守点検部分における保守点検を特定する情報とが入力された携帯電話装置４は、図１０に示すように、表示部４１に、実施される予定の保守点検部分における保守点検を特定する情報と、実施された保守点検部分における保守点検を特定する情報とを互いに区別して表示する。
【００２９】
また、表示装置１２は、図１１に示すように、実施された保守点検部分における保守点検を特定する情報を前回表示した情報から削除して、実施される予定の保守点検部分における保守点検を特定する情報をかご内モニタ１２１に表示させる。
【００３０】
保守点検が終了すると、作業者は、携帯電話装置４を用いて、情報センタ３に対して作業完了登録を行う。これにより、実施された保守点検部分における保守点検を特定する情報を用いてデータ集積装置３２２において作業実績登録が行われる。
【００３１】
以上説明したように、この発明の実施の形態１に係る保守点検管理システムによれば、エレベータ装置１の保守点検を管理する保守点検管理システムであって、保守点検部分に設けられ、保守点検部分における保守点検が実施されるために変位される変位部材と、変位部材の変位を検出する検出装置と、検出装置の検出信号に基づいて、保守点検部分における保守点検が実施されたか否かを判定する通信装置２５と、通信装置２５の判定結果の情報が入力される保守点検管理装置３２とを備えているので、保守点検部分における保守点検がまだ実施されていないにも関わらず、保守点検部分における保守点検が実施されたとする情報が保守点検管理装置３２に入力されることを防止することができる。その結果、保守点検部分における保守点検が実施されたか否かについての情報をより正確に保守点検管理装置３２に入力することができる。また、作業者は保守点検管理装置３２に保守点検部分における保守点検が実施されたとする情報を入力する必要がなくなるので、保守点検作業の効率を向上させることができる。
【００３２】
また、保守点検管理システムは、表示部４１を有した携帯電話装置４をさらに備え、保守点検管理装置３２は、エレベータ装置１を特定する情報が入力されることにより、特定されたエレベータ装置１において実施される予定の保守点検部分における保守点検を特定する情報を携帯電話装置４に対して出力し、表示部４１は、実施される予定の保守点検部分における保守点検を特定する情報を表示するので、作業者は、携帯電話装置４を用いることにより、実施される予定の保守点検部分における保守点検を確実に実施することができる。
【００３３】
また、表示部は、実施される予定の保守点検部分における保守点検を特定する情報および実施されたと判定装置により判定された保守点検部分における保守点検を特定する情報を互いに区別して表示するので、作業者は、携帯電話装置４を用いることにより、実施された保守点検部分における保守点検を確認しながら、実施される予定の保守点検部分における保守点検を実施することができる。
【００３４】
また、保守点検管理システムは、エレベータ装置１に設けられた表示装置１２をさらに備え、保守点検管理装置３２は、エレベータ装置１を特定する情報が入力されることにより、特定されたエレベータ装置１において実施される予定の保守点検部分における保守点検を特定する情報を表示装置１２に対して出力し、表示装置１２は、実施される予定の保守点検部分における保守点検を特定する情報を表示するので、作業者は、表示装置１２を見ることにより、実施される予定の保守点検部分における保守点検を確認することができる。これにより、作業者は、実施される予定の保守点検部分における保守点検を確実に実施することができる。
【００３５】
また、この発明の実施の形態１に係る保守点検管理方法によれば、変位部材の変位が検出される検出工程と、検出工程の後に、検出装置の検出信号に基づいて、保守点検部分における保守点検が実施されたか否かが判定される判定工程と、判定工程の後に、判定装置による判定結果の情報が保守点検管理装置３２に入力される入力工程とを備えているので、保守点検部分における保守点検がまだ実施されていないにも関わらず、保守点検部分における保守点検が実施されたとする情報が保守点検管理装置３２に入力されることを防止することができる。その結果、保守点検部分における保守点検が実施されたか否かについての情報をより正確に保守点検管理装置３２に入力することができる。
【００３６】
なお、上記実施の形態１では、保守点検対象装置として、エレベータ装置１を例に説明したが、例えば、エスカレータや動く歩道等の乗客コンベヤであってもよい。
【００３７】
また、上記実施の形態１では、携帯端末装置として、携帯電話装置４を例に説明したが、これに限らず、例えば、携帯型パソコンであってもよい。
【００３８】
また、上記実施の形態１では、保守点検部分として、機械室２０、かご操作盤装置１３のかご操作盤内部部材、かご上装置１４のかご上装置内部部材、ピット、乗場ドアハンガー装置１９のドア吊りレール１９２、巻上機２２のブレーキ接点組立部分、制御盤２３の制御盤本体２３１および電磁接触器装置２４の電磁接触器本体を例に説明したが、これらに限らず、保守点検が実施されるその他の保守点検部分であってもよい。
【００３９】
また、上記実施の形態１では、表示装置１２がかご１１に設けられた構成について説明したが、かご１１に限らず、例えば、昇降路１０や機械室２０に表示装置１２が設けられた構成であってもよい。
【００４０】
また、上記実施の形態１では、実施される予定の保守点検部分における保守点検を特定する情報と、実施された保守点検部分における保守点検を特定する情報とが保守点検管理装置３２から携帯電話装置４に入力され、携帯電話装置４は、保守点検管理装置３２から入力された実施される予定の保守点検部分における保守点検を特定する情報と、実施された保守点検部分における保守点検を特定する情報とを区別して表示する構成について説明したが、実施された保守点検部分における保守点検を特定する情報が通信装置２５から携帯電話装置４に入力され、携帯電話装置４は、予め保守点検管理装置３２から入力された実施される予定の保守点検部分における保守点検を特定する情報と、通信装置２５から入力された実施された保守点検部分における保守点検を特定する情報とを組み合わせて、実施される予定の保守点検部分における保守点検を特定する情報と、実施された保守点検部分における保守点検を特定する情報とを区別して表示する構成であってもよい。
【００４１】
また、上記実施の形態１では、表示装置１２は、実施された保守点検部分における保守点検を特定する情報を前回表示した情報から削除して、実施される予定の保守点検部分における保守点検を特定する情報を表示する構成について説明したが、表示装置１２は、携帯電話装置４のように、実施される予定の保守点検部分における保守点検を特定する情報と、実施された保守点検部分における保守点検を特定する情報とを互いに区別して表示してもよい。これにより、作業者は、表示装置１２を見ることにより、実施された保守点検部分における保守点検を確認しながら、実施される予定の保守点検部分における保守点検を実施することができる。
【００４２】
また、上記実施の形態１では、判定装置がエレベータ装置１に設けられた構成について説明したが、判定装置が情報センタ３に設けられた構成であってもよい。
【符号の説明】
【００４３】
１  エレベータ装置（保守点検対象装置）、３  情報センタ、４  携帯電話装置（携帯端末装置）、１０  昇降路、１１  かご、１２  表示装置、１３  かご操作盤装置、１４  かご上装置、１５  釣合い錘、１６  ロープ、１７  ピット梯子装置、１８  乗場ドア、１９  乗場ドアハンガー装置、２０  機械室（保守点検部分）、２１  機械室扉装置、２２  巻上機、２３  制御盤、２４  電磁接触器装置、２５  通信装置（判定装置）、２６  スイッチ情報集積装置、３１  通信装置、３２  保守点検管理装置、３３  データ連絡装置、４１  表示部、１２１  かご内モニタ、１２２  モニタ表示制御装置、１３１  かご操作盤カバー（変位部材）、１３２  かご操作盤カバー検出スイッチ（検出装置）、１４１  かご上装置ＢＯＸ（変位部材）、１４２  かご上装置ＢＯＸ検出スイッチ（検出装置）、１７１  ピット梯子本体（変位部材）、１７２  ピット梯子検出スイッチ（検出装置）、１７３  梯子引上げチェーン、１９１  ドアハンガー、１９２  ドア吊りレール（保守点検部分）、１９３  ハンガーカバー（変位部材）、１９４  ハンガーカバー検出スイッチ（検出装置）、２１１  機械室扉本体（変位部材）、２１２  機械室扉検出スイッチ（検出装置）、２１３  第１のスイッチ部、２１４  第２のスイッチ部、２２１  電磁開放装置本体、２２２  ブレーキ接点組立カバー（変位部材）、２２３  ブレーキ接点組立カバー検出スイッチ（検出装置）、２３１  制御盤本体（保守点検部分）、２３２  制御盤カバー（変位部材）、２３３  制御盤カバー検出スイッチ（検出装置）、２４１  電磁接触器カバー（変位部材）、２４２  電磁接触器カバー検出スイッチ（検出装置）、３２１  データ処理装置、３２２  データ集積装置。
【図１】
2012176820.tif 000003
【図２】
2012176820.tif 000004
【図３】
2012176820.tif 000005
【図４】
2012176820.tif 000006
【図５】
2012176820.tif 000007
【図６】
2012176820.tif 000008
【図７】
2012176820.tif 000009
【図８】
2012176820.tif 000010
【図９】
2012176820.tif 000011
【図１０】
2012176820.tif 000012
【図１１】
2012176820.tif 000013